(57)【特許請求の範囲】
【請求項１】
第一の周波数帯域及び第二の周波数帯域を含んで構成されるシステム帯域に信号を送信可能な移動端末であって、
前記第二の周波数帯域よりも前記第一の周波数帯域で送信する方が適切な前記信号の送信帯域に関する帯域情報を受信する受信手段と、
前記信号の送信帯域は前記第二の周波数帯域を含むと判定する尤度を低下させて設定する尤度決定手段と、
前記受信手段により受信された前記帯域情報及び前記尤度決定手段により設定された前記尤度に基づいて、前記信号の送信帯域は前記第二の周波数帯域を含むか否かを判定する帯域判定手段と、
前記帯域判定手段により前記信号の送信帯域は前記第二の周波数帯域を含むと判定された場合に、前記信号を前記第二の周波数帯域で送信する確率を低下させる処理を行なって当該信号を送信する制御手段と、
を備えることを特徴とする移動端末。
【請求項２】
前記処理は、前記信号を前記第一の周波数帯域でのみ送信するよう制御することである、請求項１に記載の移動端末。
【請求項３】
第一の周波数帯域及び第二の周波数帯域を含んで構成されるシステム帯域に信号を送信可能な移動端末が行う通信方法であって、
前記第二の周波数帯域よりも前記第一の周波数帯域で送信する方が適切な前記信号の送信帯域に関する帯域情報を受信する受信ステップと、
前記信号の送信帯域は前記第二の周波数帯域を含むと判定する尤度を低下させて設定する尤度決定ステップと、
前記受信ステップにより受信された前記帯域情報及び前記尤度決定ステップにより設定された前記尤度に基づいて、前記信号の送信帯域は前記第二の周波数帯域を含むか否かを前記移動端末が判定する帯域判定ステップと、
前記帯域判定ステップにより前記信号の送信帯域は前記第二の周波数帯域を含むと判定された場合に、前記信号を前記第二の周波数帯域で送信する確率を低下させる処理を前記移動端末が行なって当該信号を送信する制御ステップと、
を有することを特徴とする通信方法。
【発明の詳細な説明】
【技術分野】
【０００１】
本発明は、第一の周波数帯域及び第二の周波数帯域を含んで構成されるシステム帯域に信号を送信可能な移動端末と、当該移動端末が行う通信方法とに関する。
【背景技術】
【０００２】
従来、複数の基本周波数ブロックを一体として広帯域化するキャリアアグリゲーションにおいて、複数の移動通信システムを混在させる方法が提案されている。
【０００３】
例えば特許文献１に記載の制御情報信号の送信方法では、複数のコンポーネントキャリアで構成されるシステム帯域をもつ移動通信システムの基地局装置に対してＵＣＩ（Uplink Control Information：アップリンク制御情報）信号を生成し、ＰＵＣＣＨ（Physical Uplink Control CHannel：上りリンク制御チャネル）信号の送信に用いられるユーザ特有のコンポーネントキャリアにおいて、ＵＣＩ信号と同一サブフレームで送信されるＰＵＳＣＨ（Physical Uplink Shared. CHannel）信号にＵＣＩ信号を多重して基地局装置に送信している。
【先行技術文献】
【特許文献】
【０００４】
【特許文献１】特開２０１１−１８８４６８号公報
【発明の概要】
【発明が解決しようとする課題】
【０００５】
図１は、ＰＵＣＣＨ信号を受信するタイミングでＰＵＳＣＨ信号を受信する際に発生する干渉を説明する帯域説明図である。図１に示されるように、ＰＵＣＣＨ信号を受信するタイミングでＰＵＳＣＨ信号を受信すると、ＰＵＳＣＨ信号とＰＵＣＣＨ信号との間には直交関係が無いため、ｅＮＢ（evolved Node B：基地局）においてＰＵＳＣＨ信号及びＰＵＣＣＨ信号の双方にとって大きな干渉電力となる。
【０００６】
上述の干渉のため、上述のタイミングの全ＵＥ（User Equipment：移動局）のＰＵＣＣＨ信号のＣＱＩ（Channel Quality Indicator：チャネル品質信号）、ＲＩ（Rank Indicator：ランク情報）、ＰＭＩ（Precoding Matrix Indicator：プリコーディング行列）、Ａｃｋ／Ｎａｃｋ（受信成功応答／受信失敗応答）、ＳＲ（Scheduling Request：スケジューリングリクエスト）の受信特性が劣化し、ｅＮＢに届かなくなってしまい通信異常が発生するおそれがある。
【０００７】
また、上述の干渉のため、ｅＮＢにおいてＰＵＣＣＨ信号の干渉電力をある程度平均化する計算処理が行われている場合、ＰＵＳＣＨ信号による一瞬の干渉の増大が、上り干渉が大きい状態が長時間続いていると誤認識され、ＰＵＣＣＨ信号の干渉電力の計算結果が異常になる。この結果、ＰＵＣＣＨ信号のパワコン（パワーコントロール：電力制御装置）による制御が異常になり、ＵＥに送信させる上り電力が過剰になってしまい通信異常が発生するおそれがある。
【０００８】
更に、上述の干渉のため、上述のタイミングのＰＵＳＣＨ信号の受信特性が劣化してしまい通信異常が発生するおそれがある。
【０００９】
そこで本発明は、上述の問題点を解消する為になされたものであり、信号と信号の干渉に由来する通信異常の発生をより確実に防ぐことが可能な移動端末及び通信方法を提供することを目的とする。
【課題を解決するための手段】
【００１０】
本発明の一形態に係る移動端末は、第一の周波数帯域及び第二の周波数帯域を含んで構成されるシステム帯域に信号を送信可能な移動端末であって、第二の周波数帯域よりも第一の周波数帯域で送信する方が適切な信号の送信帯域に関する帯域情報を受信する受信手段と、信号の送信帯域は第二の周波数帯域を含むと判定する尤度を低下させて設定する尤度決定手段と、受信手段により受信された帯域情報及び尤度決定手段により設定された尤度に基づいて、信号の送信帯域は第二の周波数帯域を含むか否かを判定する帯域判定手段と、帯域判定手段により信号の送信帯域は第二の周波数帯域を含むと判定された場合に、信号を第二の周波数帯域で送信する確率を低下させる処理を行なって当該信号を送信する制御手段と、を備えることを特徴とする。
【００１１】
本発明の一形態に係る移動端末によれば、第一の周波数帯域で送信するのが適切な信号の送信帯域に関する帯域情報を受信し、信号の送信帯域は第二の周波数帯域を含むと判定する尤度を低下させて設定し、受信された帯域情報及び設定された尤度に基づいて、信号の送信帯域は第二の周波数帯域を含むと判定された場合に、信号を第二の周波数帯域で送信する確率を低下させる処理を行なって当該信号を送信する。このように、上述の信号の送信帯域が第二の周波数帯域を含む場合に、信号を第二の周波数帯域で送信する確率を低下させるため、例えばＰＵＳＣＨ信号等の信号と、第二の周波数帯域で送信される例えばＰＵＣＣＨ信号等とが干渉する確率が低下する。この結果、信号と信号の干渉に由来する通信異常の発生をより確実に防ぐことが可能になる。
【００１２】
別の形態に係る移動端末では、上述の処理は、信号を第一の周波数帯域でのみ送信するよう制御することであってもよい。
【００１３】
この形態では、上述の信号の送信帯域が第二の周波数帯域を含む場合に、信号を第一の周波数帯域でのみ送信するよう制御するため、例えばＰＵＳＣＨ信号等の信号と、第二の周波数帯域で送信される例えばＰＵＣＣＨ信号等とが干渉する確率が低下する。この結果、信号と信号の干渉に由来する通信異常の発生をより確実に防ぐことが可能になる。
【００１４】
本発明の一形態に係る通信方法は、第一の周波数帯域及び第二の周波数帯域を含んで構成されるシステム帯域に信号を送信可能な移動端末が行う通信方法であって、第二の周波数帯域よりも第一の周波数帯域で送信する方が適切な信号の送信帯域に関する帯域情報を受信する受信ステップと、信号の送信帯域は第二の周波数帯域を含むと判定する尤度を低下させて設定する尤度決定ステップと、受信ステップにより受信された帯域情報及び尤度決定ステップにより設定された尤度に基づいて、信号の送信帯域は第二の周波数帯域を含むか否かを移動端末が判定する帯域判定ステップと、帯域判定ステップにより信号の送信帯域は第二の周波数帯域を含むと判定された場合に、信号を第二の周波数帯域で送信する確率を低下させる処理を移動端末が行なって当該信号を送信する制御ステップと、を有することを特徴とする。
【００１５】
本発明の一形態に係る通信方法によれば、第一の周波数帯域で送信するのが適切な信号の送信帯域に関する帯域情報を受信し、信号の送信帯域は第二の周波数帯域を含むと判定する尤度を低下させて設定し、受信された帯域情報及び設定された尤度に基づいて、信号の送信帯域は第二の周波数帯域を含むと判定された場合に、信号を第二の周波数帯域で送信する確率を低下させる処理を行なって当該信号を送信する。このように、上述の信号の送信帯域が第二の周波数帯域を含む場合に、信号を第二の周波数帯域で送信する確率を低下させるため、例えばＰＵＳＣＨ信号等の信号と、第二の周波数帯域で送信される例えばＰＵＣＣＨ信号等とが干渉する確率が低下する。この結果、信号と信号の干渉に由来する通信異常の発生をより確実に防ぐことが可能になる。
【発明の効果】
【００１６】
本発明によれば、信号と信号の干渉に由来する通信異常の発生をより確実に防ぐことが可能な移動端末及び通信方法を提供することができる。
【図面の簡単な説明】
【００１７】
【図１】ＰＵＣＣＨ信号を受信するタイミングでＰＵＳＣＨ信号を受信する際に発生する干渉を説明する帯域説明図である。
【図２】移動端末の主な機能構成の概略を説明するための機能ブロック図である。
【図３】移動端末の主な物理構成の概略を説明するための物理構成図である。
【図４】移動端末における帯域変更処理の流れを説明するためのフローチャートである。
【発明を実施するための形態】
【００１８】
以下、添付図面を参照しながら本発明の好適な実施形態を説明する。なお、図面の説明において同一要素には同一符号を付し、重複する説明を省略する。
【００１９】
（１）ＰＵＣＣＨ信号とＰＵＳＣＨ信号との干渉
まず、ＰＵＣＣＨ信号とＰＵＳＣＨ信号との干渉について、図１を用いて説明する。図１は、ＰＵＣＣＨ信号を受信するタイミングでＰＵＳＣＨ信号を受信する際に発生する干渉を説明する帯域説明図であり、縦軸が周波数、横軸が時間を示している。
【００２０】
ここで、ＰＵＣＣＨ帯域は、ユーザ間で多重されている帯域であり、ＣＱＩ（Channel Quality Indicator：チャネル品質信号）、ＲＩ（Rank Indicator：ランク情報）、ＰＭＩ（Precoding Matrix Indicator：プリコーディング行列）、Ａｃｋ／Ｎａｃｋ（受信成功応答／受信失敗応答）、ＳＲ（Scheduling Request：スケジューリングリクエスト）といったＰＵＣＣＨ信号が送信される。ＰＵＣＣＨ帯域において、デジタル信号化された搬送波の中心周波数が、所定時間毎にホッピング（イントラ−サブフレーム周波数ホッピング）されることにより、周波数ダイバーシチの効果により通信品質を向上することができる。また、ＰＵＣＣＨ除外帯域は、ＰＵＣＣＨ信号が送信されない帯域である。ＰＵＳＣＨ信号の送信帯域が、ＰＵＣＣＨ帯域であると、ＰＵＳＣＨ信号及びＰＵＣＣＨ信号が互いに干渉する可能性がある。
【００２１】
ここで、本実施形態に係る移動端末は、ＰＵＣＣＨ除外帯域（第一の周波数帯域）及びＰＵＣＣＨ帯域（第二の周波数帯域）を含んで構成されるＰＵＳＣＨ帯域（ＰＵＳＣＨ信号の送信帯域としてのシステム帯域）に対して、上り信号を送信可能な携帯電話端末やスマートフォンといった端末である。この移動端末は、ＰＵＳＣＨ信号を、ＰＵＣＣＨ帯域に送信しにくくすることにより、ＰＵＳＣＨ信号及びＰＵＣＣＨ信号が互いに干渉する確率を低下させて、通信異常の発生をより確実に防ぐ。
【００２２】
（２）移動端末の構成
引き続き、本実施形態に係る移動端末の構成について、図２及び図３を用いて説明する。図２は、移動端末１００の主な機能構成の概略を説明するための機能ブロック図であり、図３は、移動端末１００の主な物理構成の概略を説明するための物理構成図である。
【００２３】
移動端末１００は、図３に示されるように、主な物理的な構成要素としてＣＰＵ１０１（Central Processing Unit）、ＲＡＭ１０２（Random Access Memory）、ＲＯＭ１０３（Read Only Memory）、操作部１０４、無線通信部１０５、ディスプレイ１０６、及びアンテナ１０７等のハードウェアにより構成されている携帯可能なコンピュータ端末である。これらの構成要素が動作することにより、移動端末１００が有する各機能が発揮される。
【００２４】
移動端末１００は、図２に示されるように、主な機能的な構成要素として、受信複合処理部１と、受信複合処理部１に通信接続された帯域変更部２（制御手段）と、帯域変更部２に通信接続された送信部３（制御手段）とを備えて構成されている。受信複合処理部１は、受信部１１（受信手段）、尤度決定部１２（尤度決定手段）、及び復号部１３（帯域判定手段）を有している。
【００２５】
受信部１１は、移動端末１００の通信対象である基地局からの各種信号の受信が可能な通信機能部分である。例えば、受信部１１は、この基地局から、ＰＤＣＣＨ（Physical Downlink Control CHannel ：下りリンク制御チャネル）信号（ＤＣＩ  ｆｏｒｍａｔ０）を受信可能である。ＰＤＣＣＨ信号は、ＰＵＳＣＨ信号の送信帯域に関する帯域情報を有する信号である。ＰＵＳＣＨ信号は、ＰＵＣＣＨ帯域（第二の周波数帯域）よりもＰＵＣＣＨ除外帯域（第一の周波数帯域）で送信する方が適切な信号である。
【００２６】
尤度決定部１２は、ＰＵＳＣＨ信号の送信帯域はＰＵＣＣＨ帯域を含むと判定する尤度を低下させて設定する情報記憶部分である。尤度は、ＰＵＳＣＨ信号の送信帯域はＰＵＣＣＨ帯域を含むとする判定結果が導き出さされる際の前提条件のもっともらしさ示すものであり、例えば数値で表される。帯域毎に尤度が設定されており、ＰＵＣＣＨ帯域となる尤度が低くなるとともにＰＵＣＣＨ除外帯域となる尤度が高くなると、ＰＵＳＣＨ信号の送信帯域はＰＵＣＣＨ帯域を含むと判定する尤度が低下することになり、ＰＵＳＣＨ信号の送信帯域はＰＵＣＣＨ帯域を含むと判定されにくくなる。
【００２７】
なお、尤度決定部１２は、ＰＵＣＣＨ帯域となる尤度の基準値と、ＰＵＣＣＨ除外帯域となる尤度の基準値とを、予め内部に記憶している。尤度決定部１２は、復号部１３及び受信部１１から受信した指示信号に従って、この尤度を調整することが可能である。
【００２８】
復号部１３は、受信部１１により受信された帯域情報及び尤度決定部１２により設定された尤度に基づいて、ＰＵＳＣＨ信号の送信帯域はＰＵＣＣＨ帯域を含むか否かを判定する演算処理部分である。復号部１３は、尤度決定部１２の尤度に関する情報に基づいて、割り当てＲＢ（リソースブロック）数と割り当てＲＢ位置とを示す情報（Resource block assignment and hoppingresource allocation）を復号する。そして、復号部１３は、ＰＵＳＣＨ信号の送信帯域がＰＵＣＣＨ帯域を含むか否かを判定する。
【００２９】
帯域変更部２は、復号部１３によりＰＵＳＣＨ信号の送信帯域はＰＵＣＣＨ帯域を含むと判定された場合に、ＰＵＳＣＨ信号をＰＵＣＣＨ帯域で送信する確率を低下させる処理を行なう制御部分である。帯域変更部２は、復号部１３によりＰＵＳＣＨ信号の送信帯域はＰＵＣＣＨ帯域を含むと判定された場合に、尤度決定部１２に対して、ＰＵＣＣＨ帯域となる尤度を低くするよう制御するとともに、ＰＵＣＣＨ除外帯域となる尤度を高くするよう制御する。これにより、復号部１３によりＰＵＳＣＨ信号の送信帯域はＰＵＣＣＨ帯域を含むと判定された場合に、ＰＵＳＣＨ帯域が変更されて、ＰＵＳＣＨ信号がＰＵＣＣＨ帯域で送信される確率は低下する。
【００３０】
なお、帯域変更部２は、ＰＵＳＣＨ信号がＰＵＣＣＨ帯域で送信される確率がゼロとなるような処理が可能である。これにより、ＰＵＳＣＨ信号はＰＵＣＣＨ除外帯域でのみ送信されるようになる。
【００３１】
送信部３は、帯域変更部２により変更されたＰＵＳＣＨ帯域でＰＵＳＣＨ信号を基地局に送信する通信機能部分である。送信部３は、ＰＵＣＣＨ信号が送信されないサブフレームにおいて、ＰＵＣＣＨ帯域であってもＰＵＳＣＨ信号を送信可能である。なお、帯域変更部２によるＰＵＳＣＨ帯域の変更後に、ＰＵＣＣＨ帯域にＰＵＳＣＨ信号が割り当てられる場合、送信部３は、ＰＵＳＣＨ信号を送信しなくてもよい。
【００３２】
（３）移動端末における帯域変更処理の流れ
引き続き、移動端末１００における帯域変更処理の流れ（通信方法）について、図４を用いて説明する。図４は、移動端末１００における帯域変更処理の流れを説明するためのフローチャートである。図４のフローチャートに示される処理は、移動端末１００の電源がオンされてからオフされるまでの間、所定のタイミングで繰り返し実行される。
【００３３】
まず、受信部１１が、基地局からの各種信号の受信を行なっている状況において、ＰＤＣＣＨ信号（ＤＣＩ  ｆｏｒｍａｔ０）を受信する（ステップＳ１、受信ステップ）。
【００３４】
次に、尤度決定部１２が、ＰＵＳＣＨ信号の送信帯域はＰＵＣＣＨ帯域を含むと判定する尤度を低下させて設定し、復号部１３が、尤度決定部１２の尤度に関する情報に基づいて、割り当てＲＢ数と割り当てＲＢ位置とを示す情報（Resource block assignment and hoppingresource allocation）の復号を行う（ステップＳ２、尤度決定ステップ）。そして、復号部１３は、ＰＵＳＣＨ信号の送信帯域はＰＵＣＣＨ帯域を含むか否かを判定する（ステップＳ３、帯域判定ステップ）。ＰＵＳＣＨ信号の送信帯域はＰＵＣＣＨ帯域を含むと判定された場合、後述のステップＳ４に移行する。一方、ＰＵＳＣＨ信号の送信帯域はＰＵＣＣＨ帯域を含まないと判定された場合、後述のステップＳ５に移行する。
【００３５】
ステップＳ４では、帯域変更部２が、尤度決定部１２に対して、ＰＵＣＣＨ帯域となる尤度を低くするよう制御するとともに、ＰＵＣＣＨ除外帯域となる尤度を高くするよう制御する（制御ステップ）。これにより、ＰＵＳＣＨ帯域が変更されて、ＰＵＳＣＨ信号がＰＵＣＣＨ帯域で送信される確率は低下する。そして、送信部３が、帯域変更部２により変更されたＰＵＳＣＨ帯域でＰＵＳＣＨ信号を基地局に送信する（制御ステップ）。そして、一連の処理は終了する。
【００３６】
ステップＳ５では、帯域変更部２による尤度の調整は行われない（制御ステップ）。このため、ＰＵＳＣＨ帯域は変更されない状態となり、この状態で、送信部３が、ＰＵＳＣＨ信号を基地局に送信する（制御ステップ）。そして、一連の処理は終了する。
【００３７】
（４）本発明による作用及び効果
移動端末１００によれば、ＰＵＣＣＨ除外帯域で送信するのが適切なＰＵＳＣＨ信号の送信帯域に関する帯域情報を受信し、ＰＵＳＣＨ信号の送信帯域はＰＵＣＣＨ帯域を含むと判定する尤度を低下させて設定し、受信された帯域情報及び設定された尤度に基づいて、ＰＵＳＣＨ信号の送信帯域はＰＵＣＣＨ帯域を含むと判定された場合に、ＰＵＳＣＨ信号をＰＵＣＣＨ帯域で送信する確率を低下させる処理を行なってＰＵＳＣＨ信号を送信する。このように、上述のＰＵＳＣＨ信号の送信帯域がＰＵＣＣＨ帯域である場合に、ＰＵＳＣＨ信号をＰＵＣＣＨ帯域で送信する確率を低下させるため、ＰＵＳＣＨ信号と、ＰＵＣＣＨ帯域で送信されるＰＵＣＣＨ信号とが干渉する確率が低下する。この結果、信号と信号の干渉に由来する通信異常の発生をより確実に防ぐことが可能になる。
【００３８】
また、上述のＰＵＳＣＨ信号の送信帯域がＰＵＣＣＨ帯域を含む場合に、ＰＵＳＣＨ信号をＰＵＣＣＨ除外帯域でのみ送信するよう制御することが可能である。これにより、例えばＰＵＳＣＨ信号等の信号と、ＰＵＣＣＨ帯域で送信される例えばＰＵＣＣＨ信号等とが干渉する確率が低下する。この結果、信号と信号の干渉に由来する通信異常の発生をより確実に防ぐことが可能になる。
【００３９】
（５）変形例
上述の実施例では、帯域変更部２が、尤度決定部１２に対して、ＰＵＣＣＨ帯域となる尤度を低くするよう制御するとともに、ＰＵＣＣＨ除外帯域となる尤度を高くするよう制御する構成として説明したが、尤度の変更処理の代わりに、ＰＵＣＣＨ帯域と復号された場合に、ＰＵＣＣＨ帯域をＰＵＣＣＨ除外帯域に読み替えるかＰＵＣＣＨ帯域では上り送信しない構成としてもよい。
【産業上の利用可能性】
【００４０】
本発明によれば、信号と信号の干渉に由来する通信異常の発生をより確実に防ぐことが可能な移動端末及び通信方法を提供することができる。
【符号の説明】
【００４１】
１…受信複合処理部、２…帯域変更部、３…送信部、１１…受信部、１２…尤度決定部、１３…復号部、１００…移動端末、１０１…ＣＰＵ、１０２…ＲＡＭ、１０３…ＲＯＭ、１０４…操作部、１０５…無線通信部、１０６…ディスプレイ、１０７…アンテナ。
【図１】
0005918612.tif 000002
【図２】
0005918612.tif 000003
【図３】
0005918612.tif 000004
【図４】
0005918612.tif 000005